(57)【要約】【課題】不正読み取り、不正書き込みを防止した情報記録媒体および通信システムを提供すること。【解決手段】ＲＦＩＤタグ１０は、アンテナ１３を有し情報を送受信する処理部１２と、処理部１２における通信処理を制御する通信制御部１６に対して、処理部１２における応答信号の送信を禁止する応答禁止モードと、処理部１２における応答電波の送信を許可する応答許可モードとのいずれかの応答モードに切り替える切替制御部１７とを備える。通信制御部１６は、切替制御部１７が応答禁止モードに切り替えた場合、処理部１２に固有情報を通知する応答信号の送信を禁止する。この結果、ＲＦＩＤタグ１０は、予め取得された固有情報を付された指示信号のみにしたがって情報の送信または情報の書き込みを行う。また、通信制御部１６は、切替制御部１７が応答許可モードに切り替えた場合、処理部１２に対して固有情報を通知する応答信号の送信を許可する。【選択図】      図２
2006227750.tif 000002
【特許請求の範囲】
【請求項１】
外部装置による非接触通信のアクセス対象となり、当該情報記録媒体自体を識別する固有情報を記録し、この固有情報を用いて記録された情報の読出処理あるいは記録すべき情報の書込処理を行う情報記録媒体であって、
前記固有情報の返信を要求する応答要求に対する応答を禁止する制御を行う通信制御手段を備えたことを特徴とする情報記録媒体。
【請求項２】
前記固有情報の応答を禁止する応答禁止モードと前記固有情報の応答を許可する応答許可モードとのいずれかの応答モードに切り替える切替制御手段を備え、
前記通信制御手段は、前記切替制御手段が前記応答禁止モードに切り替えた場合、前記通信制御手段に前記固有情報の返信を禁止させ、前記切替制御手段が前記応答許可モードに切り替えた場合、前記固有情報の返信を許可することを特徴とする請求項１に記載の情報記録媒体。
【請求項３】
少なくとも所定の固有情報を記録する外部情報記録媒体と、前記外部情報記録媒体との間で情報の送受信を行うリーダライタとを備えた通信システムにおいて、
前記外部情報記録媒体は、
前記リーダライタとの間で情報の送受信を行う媒体側通信手段と、
前記固有情報の返信を要求する応答要求に対して前記固有情報の返信を禁止する媒体側通信制御手段を備え、
前記リーダライタは、
前記外部情報記録媒体との間で情報の送受信を行うリーダライタ側通信手段と、
予め取得した前記固有情報を付して前記外部情報記録媒体への情報の送信指示あるいは情報の書込指示のいずれかを送信させるリーダライタ側通信制御手段と、
を備えることを特徴とする通信システム。
【請求項４】
前記外部情報記録媒体は、
前記固有情報の返信を禁止する応答禁止モードと、前記固有情報の返信を許可する応答許可モードとのいずれかの応答モードに切り替える媒体側切替制御手段を備え、
前記媒体側通信制御手段は、前記媒体側切替制御手段が前記応答モードを前記応答禁止モードに切り替えた場合、前記固有情報の返信を禁止し、前記媒体側切替制御手段が前記応答モードを前記応答許可モードに切り替えた場合、前記固有情報の返信を許可し、
前記リーダライタは、
前記固有情報の応答要求の送信を禁止し、予め取得した前記固有情報を付し前記送信指示あるいは前記書込指示のいずれかを行わせる応答要求禁止モードと、前記固有情報の応答要求の送信を許可する応答要求許可モードとのいずれかの指示モードに切り替えるリーダライタ側切替制御手段を備え、
前記リーダライタ側通信制御手段は、前記リーダライタ側切替制御手段が前記指示モードを前記応答要求禁止モードに切り替えた場合、前記応答要求の送信を禁止し、予め取得した前記固有情報を付し前記送信指示あるいは前記書込指示のいずれかを送信させ、前記リーダライタ側切替制御手段が前記指示モードを応答要求許可モードに切り替えた場合、前記応答要求の送信を許可することを特徴とする請求項３に記載の通信システム。
【請求項５】
前記媒体側切替制御手段は、前記媒体側通信手段が前記応答要求に応じて前記固有情報を返信した後、前記応答モードを前記応答許可モードから前記応答禁止モードに切り替え、
前記リーダライタ側切替制御手段は、前記応答要求の送信と該応答要求に応じた前記外部情報記録媒体からの前記固有情報の応答の受信とをもとに前記外部情報記録媒体の前記固有情報を取得した後、前記リーダライタ側通信制御手段に対して、前記指示モードを前記応答要求許可モードから前記応答要求禁止モードに切り替えることを特徴とする請求項４に記載の通信システム。
【請求項６】
前記外部情報記録媒体と異なる情報記憶媒体から、前記固有情報を読み取る読取手段をさらに備え、
前記リーダライタ側切替制御手段は、前記読取手段が前記固有情報を読み取った後、前記リーダライタ側通信制御手段に対して、前記指示モードを前記応答要求許可モードから前記応答要求禁止モードに切り替えることを特徴とする請求項４に記載の通信システム。
【発明の詳細な説明】
【技術分野】
【０００１】
この発明は、少なくとも所定の固有情報を記録する情報記録媒体と、この情報記録媒体を用いた通信システムに関する。
【背景技術】
【０００２】
従来から、無線通信システムの１つとして、ＲＦＩＤ（Radio Frequency Identification）システムが開発されており、医療現場における患者への処置管理、入退室管理、商品管理等に利用されている。このようなＲＦＩＤシステムでは、ＲＦＩＤタグそれぞれに固有の固有情報および患者情報等を記憶するＲＦＩＤタグを、患者が身につけるリストバンドなどに付し、専用のリーダライタを用いＲＦＩＤタグに対して読取処理、書込処理を行なうことによって患者に対する処置を管理している（特許文献１参照）。
【０００３】
【特許文献１】特開２００１−３４７２５号公報
【発明の開示】
【発明が解決しようとする課題】
【０００４】
ところで、ＲＦＩＤタグを用いた通信システムでは、各ＲＦＩＤタグが記憶する固有情報を用いて、ＲＦＩＤタグに対する情報の読み書きを行う。具体的には、まず、リーダライタは、各ＲＦＩＤタグが記憶する固有情報を問い合わせる応答要求信号を送信する。その後、ＲＦＩＤタグは、この応答要求に応じて固有情報を含む応答信号を返信し、リーダライタは、受信した応答信号から各ＲＦＩＤタグの固有情報を取得する。リーダライタは、読取対象であるＲＦＩＤタグの固有情報を付すことによって、ＲＦＩＤタグを指定したうえで情報の送信あるいは書込を指示する指示信号を送信する。リーダライタは、この指示信号に対応する返信信号を受信し、処理することによってＲＦＩＤタグの情報を読み取り、あるいは書込を完了する。
【０００５】
ここで、ＲＦＩＤシステムでは、ＲＦＩＤタグとリーダライタとの互換性を確保するため通信規格が規定されている。このため、読み書き対象であるＲＦＩＤタグと同一規格のリーダライタを用いることによって、応答要求信号の送信および応答信号の受信を行いＲＦＩＤタグの固有情報を取得し、この固有情報をもとにＲＦＩＤタグに記憶されている情報の読み書きを行うことが可能である。この結果、従来のＲＦＩＤタグを用いた通信システムでは、本来用いられる専用のリーダライタとは別に同一規格のリーダライタを用いることによって、ＲＦＩＤタグに記憶されている情報の不正読取、また、ＲＦＩＤタグの情報の不正書込が行われる可能性があるという問題点があった。
【０００６】
この発明は、上記した従来技術の欠点に鑑みてなされたものであり、リーダライタによる不正な情報の読み取りおよび情報の書き込みを制限することができる情報記録媒体および通信システムを提供することを目的とする。
【課題を解決するための手段】
【０００７】
上述した課題を解決し、目的を達成するために、この発明にかかる情報記録媒体は、外部装置による非接触通信のアクセス対象となり、当該情報記録媒体自体を識別する固有情報を記録し、この固有情報を用いて記録された情報の読出処理あるいは記録すべき情報の書込処理を行う情報記録媒体であって、前記固有情報の返信を要求する応答要求に対する応答を禁止する制御を行う通信制御手段を備えたことを特徴とする。
【０００８】
また、この発明にかかる情報記録媒体は、上記の発明において、前記固有情報の応答を禁止する応答禁止モードと前記固有情報の応答を許可する応答許可モードとのいずれかの応答モードに切り替える切替制御手段を備え、前記通信制御手段は、前記切替制御手段が前記応答禁止モードに切り替えた場合、前記通信制御手段に前記固有情報の返信を禁止させ、前記切替制御手段が前記応答許可モードに切り替えた場合、前記固有情報の返信を許可することを特徴とする。
【０００９】
また、この発明にかかる通信システムは、少なくとも所定の固有情報を記録する外部情報記録媒体と、前記外部情報記録媒体との間で情報の送受信を行うリーダライタとを備えた通信システムにおいて、前記外部情報記録媒体は、前記リーダライタとの間で情報の送受信を行う媒体側通信手段と、前記固有情報の返信を要求する応答要求に対して前記固有情報の返信を禁止する媒体側通信制御手段を備え、前記リーダライタは、前記外部情報記録媒体との間で情報の送受信を行うリーダライタ側通信手段と、予め取得した前記固有情報を付して前記外部情報記録媒体への情報の送信指示あるいは情報の書込指示のいずれかを送信させるリーダライタ側通信制御手段と、を備えることを特徴とする。
【００１０】
また、この発明にかかる通信システムは、上記の発明において、前記外部情報記録媒体は、前記固有情報の返信を禁止する応答禁止モードと、前記固有情報の返信を許可する応答許可モードとのいずれかの応答モードに切り替える媒体側切替制御手段を備え、前記媒体側通信制御手段は、前記媒体側切替制御手段が前記応答モードを前記応答禁止モードに切り替えた場合、前記固有情報の返信を禁止し、前記媒体側切替制御手段が前記応答モードを前記応答許可モードに切り替えた場合、前記固有情報の返信を許可し、前記リーダライタは、前記固有情報の応答要求の送信を禁止し、予め取得した前記固有情報を付し前記送信指示あるいは前記書込指示のいずれかを行わせる応答要求禁止モードと、前記固有情報の応答要求の送信を許可する応答要求許可モードとのいずれかの指示モードに切り替えるリーダライタ側切替制御手段を備え、前記リーダライタ側通信制御手段は、前記リーダライタ側切替制御手段が前記指示モードを前記応答要求禁止モードに切り替えた場合、前記応答要求の送信を禁止し、予め取得した前記固有情報を付し前記送信指示あるいは前記書込指示のいずれかを送信させ、前記リーダライタ側切替制御手段が前記指示モードを応答要求許可モードに切り替えた場合、前記応答要求の送信を許可することを特徴とする。
【００１１】
また、この発明にかかる通信システムは、上記の発明において、前記媒体側切替制御手段は、前記媒体側通信手段が前記応答要求に応じて前記固有情報を返信した後、前記応答モードを前記応答許可モードから前記応答禁止モードに切り替え、前記リーダライタ側切替制御手段は、前記応答要求の送信と該応答要求に応じた前記外部情報記録媒体からの前記固有情報の応答の受信とをもとに前記外部情報記録媒体の前記固有情報を取得した後、前記リーダライタ側通信制御手段に対して、前記指示モードを前記応答要求許可モードから前記応答要求禁止モードに切り替えることを特徴とする。
【００１２】
また、この発明にかかる通信システムは、上記の発明において、前記外部情報記録媒体と異なる情報記憶媒体から、前記固有情報を読み取る読取手段をさらに備え、前記リーダライタ側切替制御手段は、前記読取手段が前記固有情報を読み取った後、前記リーダライタ側通信制御手段に対して、前記指示モードを前記応答要求許可モードから前記応答要求禁止モードに切り替えることを特徴とする。
【発明の効果】
【００１３】
本発明にかかる情報記録媒体によれば、通信制御手段が、記憶された固有情報の返信を要求する応答要求に対する応答を禁止する制御を行うようにしているので、情報記録媒体に記録される情報に対するセキュリティを向上させることができる。また、この情報記録媒体を用いることによって、セキュリティを向上させた通信システムを実現することができる。
【発明を実施するための最良の形態】
【００１４】
以下、図面を参照して、この発明の実施の形態である情報記録媒体および通信システムについて説明する。なお、この実施の形態によりこの発明が限定されるものではない。また、図面の記載において、同一部分には同一の符号を付している。
【００１５】
（実施の形態１）
まず、実施の形態１にかかる情報記録媒体について説明する。本実施の形態にかかる情報記録媒体として、ＲＦＩＤ機能を備え、患者が身につけるリストバンドなどに付されたＲＦＩＤタグを一例として説明する。本実施の形態１にかかるＲＦＩＤタグは、リーダライタから固有情報（以下、「ＩＤ情報」とする。）の応答を要求する応答要求信号を受信した場合であっても、この応答要求信号に応じてＩＤ情報を含む応答信号の送信を行なわないようにしている。以下、実施の形態にかかるＲＦＩＤタグについて説明するとともに、このＲＦＩＤタグを用いた通信システムについて説明する。
【００１６】
図１は、本実施の形態１における通信システムの全体構成を示す模式図である。図１に示すように、本実施の形態１における通信システムは、患者１が装着するリストバンド２に付され、固有のＩＤ情報を記憶するとともに患者１に関する患者情報等を記憶可能なＲＦＩＤタグ１０と、ＲＦＩＤタグ１０との間で無線通信を行なうリーダライタ２０と、患者情報等の情報を管理する管理装置３０とを備える。管理装置３０は、リーダライタ２０との間で、管理する患者情報等の情報を送受信する。リーダライタ２０は、少なくとも、無線通信機能を用いて、管理装置３０から送信された情報をＲＦＩＤタグ１０に書き込み、また、ＲＦＩＤ機能を用いて、ＲＦＩＤタグ１０が記憶する情報を読み取り、管理装置３０に読み取った情報を送信する。
【００１７】
つぎに、図２を参照して、図１に示すＲＦＩＤタグ１０およびリーダライタ２０について説明する。図２は、図１に示したＲＦＩＤタグ１０、リーダライタ２０、管理装置３０の概略構成を示すブロック図である。なお、管理装置３０は、リーダライタ２０との間で送受信を行う情報を格納するデータベース３２を有する。
【００１８】
まず、ＲＦＩＤタグ１０について説明する。ＲＦＩＤタグ１０は、図２に示すように、処理部１２と、アンテナ１３と、記憶部１４と、通信制御部１６および切替制御部１７を有する制御部１５とを備える。処理部１２および記憶部１４は、制御部１５と電気的に接続し、制御部１５は、処理部１２と記憶部１７とにおける動作処理を制御する。
【００１９】
処理部１２は、制御部１５における通信制御部１６の制御のもと、リーダライタ１０との間で無線通信を行なう。処理部１２は、リーダライタ２０から送信された信号をアンテナ１３を介して受信し、この受信した信号を必要に応じて復調してリーダライタ２０からの指示信号を取得する。処理部１２は、取得した指示信号を制御部１５に送出する。この指示信号には、記憶部１４に記憶されたＩＤ情報の応答の要求、記憶部１４に記憶された患者情報等の情報の送信指示信号、記憶部１４に記憶される患者情報等の情報の書込指示信号などがある。処理部１２は、通信制御部１６の制御のもと、記憶部１４に記憶されたＩＤ情報、患者情報等の情報に対応する電気信号を必要に応じて変調し、アンテナ１３を介して送信する。処理部１２がアンテナ１３に対して送信させる信号には、リーダライタ２０からのＩＤ情報の応答要求に応じてＩＤ情報を応答する応答信号、記憶部１４に記憶された患者情報等の情報の送信指示に対して指示された情報を送信する情報送信信号がある。また、処理部１２は、アンテナ１３に対して、リーダライタ２０からの情報の書込指示があった場合、情報の書き込みが終了したことを通知する信号を送信させる。
【００２０】
アンテナ１３は、処理部１２の制御のもと、通信エリア内に存在するリーダライタ２０との間において、所定周波数の電波を送受信する。アンテナ１３は、受信した電波に対応する電気信号を処理部１２に送出する。また、アンテナ１３は、処理部１２から入力された電気信号に対応する電波をリーダライタ２０に対して送信する。アンテナ１３は、たとえば、ループ状に導体が巻回されたループアンテナによって形成される。また、アンテナ１３は、所定周波数の電波を発するリーダライタにＲＦＩＤタグ１０が近接したときに誘導電流を発生し、各構成部に誘導電流を供給する。
【００２１】
記憶部１４は、各ＲＦＩＤタグ１０固有のＩＤ情報が予め記憶されている。また、記憶部１４は、制御部１５の制御のもと、患者情報等の各種情報などを記憶し、さらに、このＲＦＩＤタグ１０が付されたリストバンド２を装着する患者１への処置履歴なども記憶する。
【００２２】
制御部１５は、処理部１２および記憶部１４の各処理または動作を制御する。制御部１５は、これらの各構成部位に入出力される情報について所定の入出力制御を行い、この情報に対して所定の情報処理を行う。制御部１５は、通信制御部１６と、切替制御部１７とを備える。
【００２３】
通信制御部１６は、処理部１２における通信処理を制御する。切替制御部１７は、通信制御部１５に対して、リーダライタ２０からのＩＤ情報の応答を要求する応答要求に応じて処理部１２におけるＩＤ情報の応答を禁止する応答禁止モードと、応答要求に応じて処理部１２におけるＩＤ情報の応答を許可する応答許可モードとのいずれかの応答モードに切り替える。通信制御部１６は、切替制御部１７が応答モードを応答禁止モードに切り替えた場合、リーダライタ２０からのＩＤ情報の応答を要求する応答要求に応じるＩＤ情報の応答信号の送信を禁止する。この場合、通信制御部１６は、処理部１２が、アンテナ１３を介して、リーダライタ２０から送信されたＲＦＩＤタグ１０のＩＤ情報が付された送信指示信号、書込指示信号を受けた場合、これらの指示にしたがって、情報の送信および情報の書き替えを行わせる。また、通信制御部１６は、切替制御部１７が応答モードを応答許可モードに切り替えた場合、リーダライタ２０からの応答要求に応じるＩＤ情報の応答信号の送信を許可する。
【００２４】
つぎに、リーダライタ２０について説明する。リーダライタ２０は、図２に示すように、入力部２２と、アンテナ２４に接続されたＲＦＩＤ処理部２３と、出力部２６と、外部通信部２７と、記憶部２８と、通信切替部２９ａを有する制御部２９とを備える。
【００２５】
入力部２２は、リーダライタ２０の動作指示およびリーダライタ２０が行う処理の指示情報を入力し、各指示情報を制御部２９に送出する。また、ＲＦＩＤ処理部２３は、制御部２９の制御のもと、所定周波数の電波を介して、ＲＦＩＤタグ１０の情報を読み取る読取処理およびＲＦＩＤタグ１０に情報を書き込む書込処理を行う。
【００２６】
読取処理では、ＲＦＩＤ処理部２３は、ＲＦＩＤタグ１０に対して情報の送信指示に対応した電気信号を必要に応じて増幅、変調し、アンテナ２４に送出する。ＲＦＩＤ処理部２３は、アンテナ２４を介して、この電気信号に対応する電波を送信させる処理を行うとともに、アンテナ２４を介してＲＦＩＤタグ１０から送信された信号を受信し、この信号を必要に応じて復調し、ＲＦＩＤタグ１０に記録された情報を取得して制御部２９に送出する。書込処理では、情報の書込指示に応じた電気信号を必要に応じて増幅、変調し、アンテナ２４を介して、この電気信号に対応する電波を送信させて、ＲＦＩＤタグ１０に対する書込処理を行う。なお、ＲＦＩＤ処理部２３は、ＲＦＩＤタグ１０がバッテリー機能を備えていない場合には、所定周波数の電波を送信してＲＦＩＤタグ１０に電力供給を行う。
【００２７】
出力部２６は、液晶ディスプレイ、有機エレクトロルミネッセンスディスプレイおよび発光ダイオードなどによって実現され、制御部２９の制御のもと、ＲＦＩＤタグ１０および管理装置３０との間で送受信した各種情報を表示出力する。また、出力部２６は、スピーカーなどによって実現され、制御部２９から入力された音声情報の外部への出力を行う。なお、出力部２６は、各構成部位による処理の開始または完了を報知する所定の報知表示および／または報知音声を出力し、または、リーダライタ４０において処理動作に関するエラーが発生した場合に、このエラーを報知する所定のエラー表示および／またはエラー音声を出力する。
【００２８】
外部通信部２７は、ＲＳ２３２Ｃ、ＵＳＢ、またはＩＥＥＥ１３９４等の外部通信用インターフェース、あるいはＩｒＤＡ規格に準拠した赤外線通信インターフェース等を用いて実現され、管理装置３０との間で情報の送受信を行う。
【００２９】
記憶部２８は、処理プログラム等の各種データが予め記憶されたＲＯＭと、各処理の演算パラメータ、ＲＦＩＤタグ１０や管理装置３０との間で送受信された各種情報、あるいは音声情報等を記憶するＲＡＭとを用いて実現される。
【００３０】
制御部２９は、記憶部２８に記憶された処理プログラムを実行するＣＰＵを備える。また、入力部２２、ＲＦＩＤ処理部２３、出力部２６、外部通信部２７および記憶部２８の各処理または動作を制御する。この場合、制御部２９は、これらの各構成部位に入出力される情報について所定の入出力制御を行い、この情報に対して所定の情報処理を行う。制御部２９は、外部通信部２７を介して、ＲＦＩＤ処理部２３から入力されたＲＦＩＤタグ１０のＩＤ情報等を管理装置５０に送信する。また、制御部２９は、外部通信部２７を介して、管理装置５０から出力された患者情報等の各種情報を受信する。
【００３１】
通信切替部２９ａは、ＲＦＩＤ処理部２３に対して、ＲＦＩＤタグ１０に対するＩＤ情報の応答要求信号の送信を禁止する応答要求禁止モードと、ＲＦＩＤタグ１０に対するＩＤ情報の応答要求信号の送信を許可する応答要求許可モードとのいずれかの指示モードに切り替える。通信切替部２９ａは、まず、指示モードを応答要求許可モードに切り替えると、ＲＦＩＤ処理部２３におけるＩＤ情報の応答要求の送信および応答要求に応じたＲＦＩＤタグ１０からのＩＤ情報の応答の受信をもとにＲＦＩＤタグ１０のＩＤ情報を取得した後、ＲＦＩＤ処理部２３に対して、指示モードを応答要求許可モードから応答要求禁止モードに切り替える。この場合、ＲＦＩＤ処理部２３は、取得したＩＤ情報を付して、情報の読取指示または情報の書込指示に対応する信号をアンテナ２４を介して送信させる。
【００３２】
つぎに、図３〜図５を参照して、ＲＦＩＤタグ１０とリーダライタ２０との間の無線通信について説明する。まず、ＲＦＩＤタグ１０は、初期設定では、応答許可モードに設定されている。このため、図３に示すように、ＲＦＩＤタグ１０では、リーダライタ２０から送信されたＩＤ情報の応答を要求する応答要求信号Ｗａを受信した場合、この応答要求信号Ｗａに対応したＩＤ情報の応答を行う。この場合、通信制御部１６は、応答要求信号電波Ｗａを処理した処理部１２からのＩＤ情報の応答要求を受け、記憶部１４に記憶されたＩＤ情報を参照する。通信制御部１６は、参照したＩＤ情報を処理部１２に出力し、処理部１２は、ＩＤ情報を含む応答信号Ｗｂをアンテナ１３を介して返信する。リーダライタ２０は、この応答信号Ｗｂを受信し、処理することによって、ＲＦＩＤタグ１０のＩＤ情報を取得する。
【００３３】
ここで、リーダライタ２０は、図４に示すように、管理装置３０等から入力された患者情報等の書込を指示する書込指示信号Ｗｃをアンテナ２４を介して送信する。この書込指示信号Ｗｃには、図３に示した応答信号Ｗｂの受信によって取得されたＩＤ情報が付される。ＲＦＩＤタグ１０は、書込指示信号Ｗｃを受信すると、通信制御部１６が書込指示信号Ｗｃに付されたＩＤ情報と記憶部１４に記憶されたＩＤ情報とを照合する。通信制御部１６は、書込指示信号Ｗｃに付されたＩＤ情報と記憶部１４に記憶されたＩＤ情報とが一致した場合、リーダライタ２０によって書き込みを指示された患者情報等を記憶部１４に書き込む。
【００３４】
その後、ＲＦＩＤタグ１０の切替制御部１７は、応答モードを応答許可モードから応答禁止モードに切り替える。応答モードの切り替えは、リーダライタ２０から送信された応答禁止モードの切り替えを指示する指示信号の受信をもとに行われる。なお、応答モードの切り替えは、ＲＦＩＤタグ１０に応答方式の切り替えを入力する切り替えスイッチ等を設け、この切り替えスイッチの操作によって切り替えを行ってもよい。通信制御部１６は、切替制御部１７による応答禁止モードの切り替えによって、処理部１２に対する応答信号の返信を禁止させる。この結果、ＲＦＩＤタグ１０は、図５に示すように、応答要求信号Ｗａを受信した場合であっても、応答信号Ｗｂを返信しない。ただし、ＲＦＩＤタグ１０は、ＩＤ情報を付した情報送信や書込指示の指示信号を受信した場合であって、各電波に付されたＩＤ情報と記憶部１４に記憶されるＩＤ情報とが一致した場合には、各指示にしたがって情報の送信や書き込みを行う。
【００３５】
さらに、図６〜図８を参照して、実施の形態１における通信システムの通信処理手順について説明する。図６は、実施の形態１における通信システムにおいて、ＲＦＩＤタグ１０のＩＤ情報を取得するまでの処理手順を示すフローチャートである。なお、ＲＦＩＤタグ１０は、応答許可モードに設定されている。図６に示すように、リーダライタ２０は、ＩＤ情報の応答を要求する応答要求信号を送信する（ステップＳ１０２）。ＲＦＩＤタグ１０は、リーダライタ２０から送信された応答要求信号を受信する（ステップＳ１０４）と、この受信した応答要求信号を処理し、要求されたＩＤ情報を含む応答信号を送信する（ステップＳ１０６）。リーダライタ２０は、この応答信号を受信し（ステップＳ１０８）、受信した応答信号を処理することによって、ＲＦＩＤタグ１０のＩＤ情報を取得する。リーダライタ２０は、管理装置３０に対して、取得したＲＦＩＤタグ１０の情報を登録させるＩＤ登録処理を行う（ステップＳ１１０）。このＩＤ登録処理では、リーダライタ２０が、外部通信部２７を介して、管理装置３０に取得したＲＦＩＤタグ１０のＩＤ情報を送信し、管理装置３０が、リーダライタ２０から送信されたＩＤ情報を、ＲＦＩＤタグ１０が付されたリストバンド２を装着する患者１の患者氏名、患者ＩＤ等の患者情報に対応させて登録する。
【００３６】
その後、リーダライタ２０は、ＲＦＩＤタグ１０に対して、ＲＦＩＤタグ１０が付されたリストバンド２を装着する患者１の患者情報を書き込む処理を行う。この患者情報は、管理装置３０からリーダライタ２０に送信されたものである。また、この患者情報は、入力部２２から入力されたものであってもよい。まず、リーダライタ２０は、患者情報等の書き込みを指示する書込指示信号を送信する（ステップＳ１１２）。リーダライタ２０は、応答信号を受信し、処理することによって取得したＩＤ情報を付して書込指示信号を送信する。ＲＦＩＤタグ１０は、この書込指示信号を受信し（ステップＳ１１４）、受信した書込指示信号を処理し、書き込みが指示された患者情報を記憶部１４に書き込む（ステップＳ１１６）。
【００３７】
その後、この通信システムでは、ＲＦＩＤタグ１０のセキュリティ強化のため、ＲＦＩＤタグ１０の応答モードを応答許可モードから応答禁止モードに切り替える。このため、リーダライタ２０は、ＲＦＩＤタグ２０に対して、応答許可モードから応答禁止モードへの切り替えを指示する応答禁止指示信号を送信する（ステップＳ１１８）。ＲＦＩＤタグ１０は、この応答禁止指示信号を受信する（ステップＳ１２０）と、切替制御部１７が、応答禁止指示信号の指示にしたがって、通信制御部１６に対して、応答モードを応答許可モードから応答禁止モードに切り替える（ステップＳ１２２）。また、リーダライタ２０では、通信切替部２９ａが、ＲＦＩＤ処理部２３に対して、指示モードを応答要求許可モードから応答要求禁止モードに切り替える（ステップＳ１２４）。
【００３８】
ここで、図７を参照して、リーダライタ２０がＲＦＩＤタグ１０の情報を読み取る読取処理を行う処理手順について説明する。図７は、実施の形態１における通信システムにおいて、ＲＦＩＤタグ１０の情報を読み取る読取処理の処理手順を示すフローチャートである。なお、図６で示したように、ＲＦＩＤタグ１０は、ステップＳ１２２における応答禁止モードへの切り替えによって、リーダライタ２０からの応答要求信号に応じる応答信号の送信が禁止されている。また、リーダライタ２０では、ステップＳ１２４における応答要求モードへの切り替えによって、ＲＦＩＤタグ１０に対する応答要求モードの送信が禁止されている。したがって、リーダライタ２０は、応答要求信号の送信およびＲＦＩＤタグ１０からの応答信号の受信をもとに読み取り対象であるＲＦＩＤタグ１０のＩＤ情報を取得することができないため、ステップＳ１０８、ステップＳ１１０において予め取得、登録したＩＤ情報を用いて読取処理を行う。
【００３９】
具体的には、図７に示すように、リーダライタ２０では、読み取り対象であるＲＦＩＤタグ１０のＩＤ情報を、外部通信部２７を介して管理装置３０から取得する（ステップＳ１２５）。そして、ＲＦＩＤ処理部２３は、アンテナ２４を介して、この取得したＩＤ情報を付したうえで情報送信を指示する情報送信指示信号を読み取り対象であるＲＦＩＤタグ１０に送信する（ステップＳ１２６）。ＲＦＩＤタグ１０では、アンテナ１３を介して、この情報送信指示信号を受信し（ステップＳ１２８）、通信制御部１６が、この情報送信指示信号に付されたＩＤ情報と記憶部１４におけるＩＤ情報とを照合する（ステップＳ１３０）。通信制御部１６は、各ＩＤ情報が一致したと判断した場合、情報送信指示信号において指示された情報を記憶部１４から抽出する。通信制御部１６は、この情報を含む情報送信信号をＲＦＩＤ処理部１２から送信させる（ステップＳ１３２）。その後、リーダライタ２０は、ＲＦＩＤタグ１０から送信された情報送信信号を受信し（ステップＳ１３４）、受信した情報送信信号を処理してＲＦＩＤタグ１０から送信された情報を取得して（ステップＳ１３６）読取処理を終了する。
【００４０】
さらに、図８を参照して、リーダライタ２０がＲＦＩＤタグ１０の情報を書き込む書込処理を行う場合について説明する。図８は、実施の形態１における通信システムにおいて、ＲＦＩＤタグ１０に情報を書き込む書込処理の処理手順を示すフローチャートである。なお、リーダライタ２０では、指示モードが応答要求禁止モードに切り替えられており、ＲＦＩＤタグ１０では、応答モードが応答禁止モードに切り替えられている。このため、リーダライタ２０は、ステップＳ１０８、ステップＳ１１０において予め取得、登録したＩＤ情報を用いて書込処理を行う。
【００４１】
具体的には、図８に示すように、リーダライタ２０では、書き込み対象であるＲＦＩＤタグ１０のＩＤ情報を、外部通信部２７を介して管理装置３０から取得する（ステップＳ１３７）。そして、この取得したＩＤ情報を付し、情報の書き込みを指示する書込指示信号を読み取り対象であるＲＦＩＤタグ１０に送信する（ステップＳ１３８）。ここで、ＲＦＩＤタグ１０に書き込まれる情報としては、ＲＦＩＤタグ１０を付されたリストバンド２を装着する患者１に対して行われた医療処置の内容などがある。ＲＦＩＤタグ１０では、アンテナ１３を介して、この書込指示信号を受信し（ステップＳ１４０）、通信制御部１６が、この情報送信指示信号に付されたＩＤ情報と記憶部１４におけるＩＤ情報とを照合する（ステップＳ１４２）。通信制御部１６が、各ＩＤ情報が一致したと判断した場合、制御部１５は、書込指示信号において指示された情報を記憶部１４に書き込み（ステップＳ１４４）、書込処理は終了する。
【００４２】
このように、本実施の形態１におけるＲＦＩＤタグ１０は、応答モードを応答許可モードと応答禁止モードとのいずれかのモード切り替えることができるため、実施の形態１における通信システムでは、ＲＦＩＤタグ１０の応答モードを応答許可モードに切り替えた場合、ＲＦＩＤタグ１０はＩＤ情報の応答が可能であり、リーダライタ２０によるＲＦＩＤタグ１０のＩＤ情報の取得を柔軟に行うことができるとともに、ＲＦＩＤタグ１０の応答モードを応答禁止モードに切り替えた場合、ＲＦＩＤタグ１０におけるＩＤ情報の応答が禁止されるため、ＲＦＩＤタグ１０の情報を読み取り可能であるリーダライタを用いた場合であっても、ＲＦＩＤタグ１０のＩＤ情報を読み取ることができない。すなわち、このようなリーダライタを用いた場合であっても、ＲＦＩＤタグ１０のＩＤ情報を読み取ることができず、ＲＦＩＤタグ１０が記憶する情報の読み書きを行うことができない。したがって、実施の形態１における通信システムでは、ＲＦＩＤタグ１０の応答モードを応答禁止モードに切り替えることによって、ＲＦＩＤタグ１０が記憶する情報の読み取り、書き込みを制限することができ、ＲＦＩＤタグ１０に対するセキュリティを強化することができる。
【００４３】
なお、本実施の形態１では、ＲＦＩＤタグ１０における切替制御部１７が、応答モードを応答許可モードから応答禁止モードに切り替えた場合について説明したが、切替制御部１７は、応答モードを応答禁止モードから応答許可モードに切り替えてもよい。切替制御部１７は、応答モードの切替を、リーダライタ２０から送信された応答モードの切り替えを指示する指示信号を受信することによって行なってもよく、応答モードの切替指示を入力する入力スイッチ等の操作を介して行ってもよい。
【００４４】
また、切替制御部１７は、応答モードの切り替えを指示する指示信号の受信および入力スイッチ等の操作によらず、自動的に応答モードを切り替えてもよい。たとえば、切替制御部１７は、記憶部１４への情報の書き込みが終了した後、応答モードを応答許可モードから応答禁止モードに切り替えてもよい。また、切替制御部１７は、記憶部１４が記憶する情報量に対応させて応答モードを応答許可モードあるいは応答禁止モードに切り替えてもよい。たとえば、切替制御部１７は、記憶部１４が記憶する情報量が所定量を超えた場合には、通信制御部１６の応答モードを応答許可モードから応答禁止モードに切り替える。また、切替制御部１７は、記憶部１４が記憶する情報量が所定量以下になった場合には、通信制御部１６の応答モードを応答禁止モードから応答許可モードに切り替える。
【００４５】
（実施の形態２）
つぎに、実施の形態２について説明する。実施の形態１では、応答モードを切り替えることができるＲＦＩＤタグを用いた場合について説明したが、実施の形態２では、応答モードを応答禁止モードに固定したＲＦＩＤタグを用いるようにしている。
【００４６】
図９は、実施の形態２における通信システムの概略構成を示すブロック図である。図９に示すように、実施の形態２における通信システムは、ＲＦＩＤタグ２１０と、光学情報記録媒体２４０と、リーダライタ２２０と、管理装置３０とを備える。ＲＦＩＤタグ２１０と光学情報記録媒体２４０は、患者１が装着するリストバンド２の一部に取り付けられるリストバンド台紙２０２に備えられている。このリストバンド台紙２０２のうち、ＲＦＩＤタグ２１０が備えられた領域Ｓａがリストバンド２に取付けられる。また、このリストバンド台紙２０２のうち、光学情報記録媒体２４０が備えられた領域Ｓｂは、リストバンド２０２に取付けられない。
【００４７】
まず、ＲＦＩＤタグ２１０について説明する。図２に示すように、ＲＦＩＤタグ２１０は、実施の形態１におけるＲＦＩＤタグ１０と比較し、制御部１５に代えて、通信制御部２１６を有する制御部２１５を備える。通信制御部２１６は、処理部１２における通信処理を制御する。また、通信制御部２１６は、ＩＤ情報の応答を要求する応答要求信号をアンテナ１３を介して受信した場合であっても、ＩＤ情報を応答する応答信号の送信を禁止している。このため、図１０に示すように、ＲＦＩＤタグ２１０は、リーダライタ２２０から送信された応答要求信号Ｗａを受信した場合であっても、この応答要求信号Ｗａに応じて応答信号Ｗｂを送信しない。なお、制御部２１５および通信制御部２１６は、ＩＤ情報を付した指示信号を受信した場合、この指示信号に付されたＩＤ情報と記憶部１４におけるＩＤ情報とを照合し、各ＩＤ情報が一致していた場合には、指示信号の指示に応じて、情報の送信、情報の書き込み等の処理動作を各構成部に対して行わせる。
【００４８】
光学情報記録媒体２４０は、光学情報記録媒体２４０は、符号化された各種情報を表示した情報記録媒体である。この光学情報記録媒体２３０に記録された情報には、同じリストバンド台紙２０２に備えられたＲＦＩＤタグ２１０のＩＤ情報が含まれている。
【００４９】
リーダライタ２２０は、図９に示すように、実施の形態１におけるリーダライタ２０と比較し、制御部２９に代えて、制御部２２９を備える。また、制御部２２９は、ＲＦＩＤタグ２１０に対して、ＩＤ情報の応答を要求する応答要求信号の送信を禁止している。このため、ＲＦＩＤ処理部２３は、情報の読み書き対象であるＲＦＩＤタグ２１０に対して、予め取得したＩＤ情報を付した情報送信指示信号または書込指示信号などの指示信号をアンテナ２４を介して送信する。
【００５０】
また、リーダライタ２２０は、リーダライタ２０と比較し、光学情報読取部２２５をさらに備えた構成を有する。光学情報読取部２２５は、光学情報記録媒体２４０に対して赤外光または可視光を送信する半導体レーザ素子または発光ダイオード等の光源と、この光学情報記録媒体２４０からの反射光を受信するフォトセンサ等の受光素子とによって実現され、受信した光を処理することによって、光学情報記録媒体２４０の情報を取得する。なお、光学情報読取部２２５は、ＣＣＤ、ＣＭＯＳ等と、結像した入力光を電気信号に変換する光電変換部と、光電変換部からの入射光を結像させる光学系とによって実現され、光学情報記録媒体２４０を撮像処理し、撮像処理によって得られた画像情報を解読して、光学情報記録媒体２４０の情報を読み取ってもよい。制御部２２９は、光学情報記録媒体２３０から読み取った情報のうち、ＲＦＩＤタグ２１０のＩＤ情報を取得し、外部通信部２７を介して、管理装置３０に取得したＩＤ情報を出力する。
【００５１】
つぎに、図１１を参照して、実施の形態２における通信システムの通信処理手順について説明する。まず、リーダライタ２２０は、ＲＦＩＤタグ２１０のＩＤ情報を取得する。この場合、リーダライタ２２０は、ＲＦＩＤタグ２１０との間で無線通信を行なわず、ＲＦＩＤタグ２１０と同じリストバンド台紙２０２に備えられた光学情報記録媒体２４０の情報を読み取り、この光学情報記録媒体２４０に記録された情報の中からＲＦＩＤタグ２１０のＩＤ情報を取得する。このため、リーダライタ２２０では、図１１に示すように、光学情報読取部２２５が、光学情報記録媒体２４０の情報を読み取る光学情報読取処理を行う（ステップＳ２０２）。その後、制御部２２９は、光学情報読取部２２５が読み取った光学情報記録媒体２４０の情報の中から、ＲＦＩＤタグ２１０のＩＤ情報を取得する（ステップＳ２０４）。その後、リーダライタ２２０は、図６に示すステップＳ１１０と同様の処理手順を行うことによって、管理装置３０に対して、取得したＲＦＩＤタグ２１０のＩＤ情報を登録させるＩＤ登録処理を行う（ステップＳ２１０）。このように、実施の形態２では、リーダライタ２２０は、ＲＦＩＤタグ２１０に対する無線通信を行なうことなく、ＲＦＩＤタグ２１０と同じリストバンド台紙２０２に備えられた光学情報記録媒体２４０を光学的に読み取ることによって、ＲＦＩＤタグ２１０のＩＤ情報を取得している。
【００５２】
その後、ＲＦＩＤタグ２１０に対して書込処理を行う場合、リーダライタ２２０は、図８に示すステップＳ１３７およびステップＳ１３８と同様の処理手順を行って、ＩＤ取得処理（ステップＳ２１１）と書込指示信号の送信処理（ステップＳ２１２）を行う。この場合、この書込指示信号には、ＩＤ取得処理（ステップＳ２１０）において取得したＩＤ情報であって、情報の書き込み対象であるＲＦＩＤタグ２１０のＩＤ情報が付されている。ＲＦＩＤタグ２１０は、図８におけるステップＳ１４０〜ステップＳ１４４と同様の処理手順を行って、この書込指示信号を受信し（ステップＳ２１４）、書込指示信号に付されたＩＤ情報と記憶部１４におけるＩＤ情報とを照合するＩＤ照合処理を行い（ステップＳ２１６）、各ＩＤ情報が一致したと判断した場合には、記憶部１４に対して指示された情報を書込む（ステップＳ２１８）。
【００５３】
さらに、ＲＦＩＤタグ２１０に対して読取処理を行う場合、リーダライタ２２０は、図７に示すステップＳ１２５およびステップＳ１２６と同様の処理手順を行って、ＩＤ取得処理（ステップＳ２２５）と情報送信指示信号の送信処理（ステップＳ２２６）を行う。この場合、この情報送信指示信号には、ＩＤ取得処理（ステップＳ２２５）おいて取得したＩＤ情報であって、読み取り対象であるＲＦＩＤタグ２１０のＩＤ情報が付されている。ＲＦＩＤタグ２１０は、図７におけるステップＳ１２８〜ステップＳ１３２と同様の処理手順を行って、この情報送信指示信号を受信し（ステップＳ２２８）、情報送信指示信号に付されたＩＤ情報と記憶部１４におけるＩＤ情報とを照合するＩＤ照合処理を行い（ステップＳ２３０）、各ＩＤ情報が一致したと判断した場合には、記憶部１４における情報を抽出し、処理部１２から送信を指示された情報を含む情報送信信号を送信する（ステップＳ２３２）。その後、リーダライタ２２０は、図７に示すステップＳ１３４およびステップＳ１３６と同様の処理手順を行って、情報送信信号を受信し（ステップＳ２３４）、受信した情報送信信号を処理することによって情報を取得し（ステップＳ２３６）、読取処理を終了する。
【００５４】
このように、本実施の形態２における通信システムは、ＩＤ情報を応答する応答信号の送信を禁止されたＲＦＩＤタグ２１０を用いているため、ＲＦＩＤタグ２１０と同規格のリーダライタを用いた場合であっても、ＲＦＩＤタグ２１０のＩＤ情報を取得することができない。この結果、本実施の形態２における通信システムでは、ＲＦＩＤタグ２１０に対する情報の読み書きを制限することができ、ＲＦＩＤタグ２１０に対するセキュリティを強化することができる。さらに、実施の形態２における通信システムでは、ＲＦＩＤタグ２１０のＩＤ情報を記録する光学情報記録媒体２４０を読み取ることによってＲＦＩＤタグ２１０のＩＤ情報を取得することができ、このＩＤ情報を用いて、ＲＦＩＤタグ２１０の情報の読み書きを円滑に行うことができる。
【００５５】
なお、本実施の形態２では、光学情報読取部２２５を備えたリーダライタ２２０を用いて光学情報記録媒体２４０が記録するＩＤ情報を読み取った場合について説明したが、これに限らず、光学情報読取機能を備えた別個の読取装置を用いて光学情報記録媒体２４０が記録するＩＤ情報を読み取ってもよい。この場合、リーダライタ２２０は、光学情報読取部２２５を削除した構成としてもよい。また、実施の形態２では、ＲＦＩＤタグ２１０のＩＤ情報を記録した光学情報記録媒体２４０を備えたリストバンド台紙２０２を例に説明したが、光学情報記録媒体２４０以外の情報記録媒体であってＲＦＩＤタグ２１０のＩＤ情報を記録する情報記録媒体を備えたリストバンド台紙２０２でもよい。また、実施の形態２では、必ずしもリストバンド台紙２０２にＲＦＩＤタグ２１０のＩＤ情報を記録する情報記録媒体を備える必要はなく、ＲＦＩＤタグ２１０のＩＤ情報を予め取得し、管理装置３０に対して登録すれば足りる。また、実施の形態２では、ＲＦＩＤタグ２１０のＩＤ情報を管理装置３０において登録するほか、リーダライタ２２０の記憶部２８に記憶させてもよい。リーダライタ２２０がＲＦＩＤタグ２１０に対して情報を読み書きする場合に、読み書き対象であるＲＦＩＤタグ２１０のＩＤ情報を取得できればよい。
【００５６】
また、上述した実施の形態１，２では、情報記録媒体としてＲＦＩＤタグを例にあげて説明したが、この情報記録媒体は、予めバッテリーを有するものであってもよい。
【図面の簡単な説明】
【００５７】
【図１】実施の形態１における通信システムの全体構成を示す模式図である。
【図２】図１に示すＲＦＩＤタグ、リーダライタおよび管理装置の概略構成を示すブロック図である。
【図３】図２に示すＲＦＩＤタグおよびリーダライタの間の無線通信を説明する図である。
【図４】図２に示すＲＦＩＤタグおよびリーダライタの間の無線通信を説明する図である。
【図５】図２に示すＲＦＩＤタグおよびリーダライタの間の無線通信を説明する図である。
【図６】実施の形態１における通信システムにおいて、ＲＦＩＤタグのＩＤ情報を取得するまでの処理手順を示すフローチャートである。
【図７】実施の形態１における通信システムの読取処理の処理手順を示すフローチャートである。
【図８】実施の形態１における通信システムの書込処理の処理手順を示すフローチャートである。
【図９】実施の形態２における通信システムの概略構成を示すブロック図である。
【図１０】図９に示すＲＦＩＤタグとリーダライタとの間の無線通信を説明する図である。
【図１１】図９に示す通信システムにおける通信処理手順を示すフローチャートである。
【符号の説明】
【００５８】
１  患者
２  リストバンド
１０，２１０  ＲＦＩＤタグ
１２  処理部
１３  アンテナ
１４  記憶部
１５，２１５  制御部
１６，２１６  通信制御部
１７  切替制御部
２０，２２０  リーダライタ
２２  入力部
２３  ＲＦＩＤ処理部
２４  アンテナ
２６  出力部
２７  外部通信部
２８  記憶部
２９，２２９  制御部
２９ａ  通信切替部
３０  管理装置
３２  データベース
２２５  光学情報読取部
２４０  光学情報記録媒体
【図１】
2006227750.tif 000003
【図２】
2006227750.tif 000004
【図３】
2006227750.tif 000005
【図４】
2006227750.tif 000006
【図５】
2006227750.tif 000007
【図６】
2006227750.tif 000008
【図７】
2006227750.tif 000009
【図８】
2006227750.tif 000010
【図９】
2006227750.tif 000011
【図１０】
2006227750.tif 000012
【図１１】
2006227750.tif 000013